(57)【特許請求の範囲】
【請求項１】
上部カバー，中間ケース，下部ケースを嵌め合い結合した三分割構造になるケースの端部に仕切隔壁で相間が仕切られた端子部を画成し、かつ各相ごとに端子部にケース内のしゃ断部から引出した端子ねじ付き端子導体を配し、外部から端子部に差し込んだ電線をねじ締結して端子導体に接続するようにした開閉器の端子構造であり、端子部としゃ断部の間にまたがって敷設した端子導体の左右側縁を中間ケース側に形成した端子固定溝へ前方より圧入して端子導体を組立て位置に保持するようにしたものにおいて、前記の端子固定溝を、その長手方向に沿って前半域の溝幅を板厚の厚い端子導体に合わせ、後半域の溝幅を板厚の薄い端子導体に合わせて設定した段差付き溝として形成し、かつ板厚の厚い端子導体はその後半域の幅を狭めて形成したことを特徴とする開閉器の端子構造。
【発明の詳細な説明】
【０００１】
【発明の属する技術分野】
本発明は、配線用回路しゃ断器，電磁接触器などを実施対象とした開閉器の端子構造に関する。
【０００２】
【従来の技術】
頭記した配線用回路しゃ断器を対象に、従来における開閉器（３相用）の組立構造を図４に示す。図において、１は上部カバー２，中間ケース３，および下部ケース４を嵌め合い式に組み合わせてなる３分割構造のケース（樹脂ケース）、５はケース１のしゃ断器部に組み込んだ固定接触子、６は可動接触子、７は消弧板、８は開閉機構、９は操作ハンドル，１０は過電流引外し装置であり、ケース１の前後端には電源側，負荷側の端子部１１，１２が画成されいる。また、端子部１１，１２には各相ごとにケース内方から引出した端子導体１３，１４および端子導体１３，１４に螺合した端子ねじ１５が設置されており、かつ相間がケース１に形成した仕切隔壁で隔離されている。なお、負荷側の端子導体１４は固定接触子と一体になり、その形状は図２(a),(b) で示すようにＳ字状に折り曲げた形状で前記中間ケース３に固定保持されている。なお、図２(a),(b) において、１４ａは固定接点、１４ｂはアークホーン，１４ｃは端子部１２に引き出した電線接続部である。
【０００３】
次に、前記したケース１の上部カバー２，および負荷側の端子導体１４を支持した中間ケース３の従来構造を図５(a),(b) に示す。すなわち、中間ケース３には端子部に引出した各相の端子導体１４の電線接続部１４ｃ，端子ねじ１５（図４参照）を取り囲むように立ち上がる仕切隔壁３ａが形成されている。なお、電源側の端子部においても同様な構成になる。
【０００４】
また、中間ケース３には、負荷側の端子導体１４の引出し通路に沿ってその左右の壁面には端子固定溝３ｂが形成されており、この端子固定溝３ｂに端子導体１４の左右側縁に張り出した耳部（耳部における導体幅はＷ）を前方から圧入して組立位置に固定保持するようにしている。なお、図示例では、端子固定溝３ｂの溝幅は図２に示した端子導体１４の板厚Ｔに対応し、溝長さは図２(b) に示した耳部の長さ寸法Ｒに合わせて設定されている。
【０００５】
一方、上部カバー２は図示のように中間ケース３の上に嵌め合い結合され、この位置で上部カバー２の側壁２ａが前記した中間ケース３から立ち上がった左右両端の仕切隔壁３ａと内外に重なり合っている。
【０００６】
【発明が解決しようとする課題】
回路しゃ断器などの開閉器では、外形寸法のコンパクト化，機種統合，設計・製作における管理工程の削減化を狙いに、同じフレームサイズのケースを使って容量の拡充を図ることが進められている。かかる点、前記した端子部の従来構造では次記のような課題が残る。
【０００９】
（１）電流容量が大きな仕様の開閉器では端子導体の板厚を厚くする必要があるが、従来のケースでは端子導体１４を固定する中間ケース３の端子固定溝３ｂがその全長域で同じ溝幅となっている。そのために、溝幅よりも板厚が厚い端子導体は、例えばその左右側縁を偏平に加工するなどしない限り端子固定溝３ｂに圧入，固定することができない。
【００１０】
本発明は上記の点に鑑みなされたものであり、その目的は前記課題を解決し、同フレームサイズで定格電流の仕様拡大化に対応できるよう改良した開閉器の端子構造を提供することにある。
【００１１】
【課題を解決するための手段】
上記目的を達成するために、本発明によれば、上部カバー，中間ケース，下部ケースを嵌め合い結合した三分割構造になるケースの端部に仕切隔壁で相間が仕切られた端子部を画成し、かつ各相ごとに端子部にケース内のしゃ断部から引出した端子ねじ付きの端子導体を配し、外部から端子部に差し込んだ電線をねじ締結して端子導体に接続するようにした開閉器の端子構造であり、端子部としゃ断部の間にまたがって敷設した端子導体の左右側縁を中間ケース側に形成した端子固定溝へ前方より圧入して端子導体を組立て位置に保持するようにしたものにおいて、前記の端子固定溝を、その長手方向に沿って前半域の溝幅を板厚の厚い端子導体に合わせ、後半域の溝幅を板厚の薄い端子導体に合わせて設定した段差付き溝として形成し、かつ板厚の厚い端子導体はその後半域の幅を狭めて形成する（請求項１）。
【００１４】
上記の構成で、端子固定溝へ前方から挿入した板厚の薄い端子導体は、その側縁が溝幅の狭い後半域で固定これ、板厚の厚い端子導体は溝幅が拡大した前半域で固定される。したがって、同じフレームサイズケースに板厚の異なる２種類の端子導体を組み込むことが可能となり、これにより電流容量の仕様拡大化に容易に対応できる。
【００１５】
【発明の実施の形態】
以下、本発明の実施の形態を図１〜図３に示す実施例に基づいて説明する。なお、実施例の図中で図４，図５に対応する同一部材には同じ符号を付してその説明は省略する。
【００１６】
まず、図１(a) 〜(c) において、端子導体１４を保持した中間ケース３の端子部は上面が平坦面を呈していて図５に示した衝立状の仕切壁３ａが形成されてなく、上部カバー２側にのみ各相の相間仕切壁２ｂが形成されていて、側壁２ａと組合せて端子導体１４，端子ねじ１５を取り囲むようにしている。そして、上部カバー２を鎖線で表すように中間ケース３の上に嵌め合わせた組立状態では、中間ケース３に取付けた端子導体１４の電線接続部１４ｃの高さ位置Ｈよりも下方位置で中間ケース３の左右側面と上部カバー２の左右側壁２ａとが嵌まり合う（嵌まり合いの範囲を符号Ｌで表す）ように設定されている。
【００１７】
かかる構成により、中間ケース３に上部カバー２を重ね合わせた端子部１２の組立状態では、端子導体１４に接続する電線の挿入スペースが上部カバー２の側壁２ａ，仕切壁２ｂの間に区画されてそのスペース幅がＶとなり、このスペース幅Ｖは図５に示した二重壁構造のスペース幅ｖに比べて拡大する。つまり、１ランク太い電線の挿入が可能となる。例えば、定格電流２５Ａ，ケース本体幅４５mmの配線用回路しゃ断器について、図５に示した従来構造のケースでは、接続可能な電線の太さは６mm2 であったが、図示実施例のケースでは太さ１０mm2 までの電線が接続可能となる。
【００１８】
一方、中間ケース３に形成した端子固定溝３ｂは、その長手方向の途中箇所に段差部３ｂ-1が形成されており、この段差部３ｂ-1を境にしてその後半域Ｑの溝幅が図２に示した端子導体１４の板厚に合わせて狭く、前半域Ｐの溝幅が図３(a),(b) に示した板厚の厚い端子導体１４’の板厚Ｕに合わせて拡大するように設定されている。また、図２の端子導体１４では、前記溝３ｂに圧入される左右側縁の耳部の長さがＲであるのに対して、図３の端子導体１４’では耳部の長さが端子固定溝３ｂの段差部３ｂ-1までの長さに合わせて短い寸法Ｓに設定されている。
【００１９】
かかる構成で、図２(a),(b) に示した板厚の薄い端子導体１４は、その左右側縁から張り出した耳部が中間ケース３の端子固定溝３ｂに対して溝幅の狭い後半域Ｑに圧入され、図１(a) に示す所定の組立位置に固定支持される。これに対して、図３(a),(b) に示した板厚の厚い端子導体１４’は、その耳部が端子固定溝３ｂに対して溝幅の広い前半域Ｐに圧入されて図３(c) に示すように所定の組立位置に固定支持されるようになる。つまり、図示実施例の中間ケース３を用いることで、板厚の異なる２種類の端子導体を選択的に組付けることができる。
【００２０】
これにより、先記した上部カバー２と中間ケース３の嵌め合い構造と、前記の端子導体支持構造を併用することにより、同じ外形サイズ，例えば本体幅４５mmのケース１で端子部に組み込む端子導体を板厚の薄い端子導体１４から板厚の厚い端子導体１４’に変えることで、端子部に挿入接続可能な電線の太さが６mm2 から１０mm2 に拡がり、これによりしゃ断器の定格電流を２５Ａから３０Ａに仕様拡大することかできる。
【００２１】
【発明の効果】
以上述べたように、本発明の構成によれば次記の効果を奏する。
(1) 請求項１の構成により、板厚の異なる２種類の端子導体を中間ケースに固定支持することができる。
【００２２】
したがって、同じフレームサイズで定格電流が１ランク大きい開閉器への対応が可能になるなど、仕様面でフレシキビリティの高い開閉器を提供することができる。
【図面の簡単な説明】
【図１】本発明の実施例による端子構造を表す図であり、(a) は上部カバー，中間ケースの分離状態の正面図、(b),(c) はそれぞれ(a) 図における矢視Ｘ−Ｘ，Ｙ−Ｙ断面図
【図２】図１における端子導体の構造図であり、(a),(b) はそれぞれ側面図，裏面図
【図３】図１の端子部に適用する板厚の厚い端子導体の構成図であり、(a),(b) はそれぞれ端子導体の側面図，裏面図、(c) は端子導体を中間ケースの端子部に組付けた状態の正面図
【図４】本発明の実施対象となる開閉器全体の構成断面図
【図５】図４における端子部の従来構造図であり、(a) は上部カバー，中間ケースの分離状態の正面図、(b) は(a) 図における矢視Ｘ−Ｘ断面図
【符号の説明】
１    開閉器のケース
２    上部カバー
２ａ  端子部の側壁
２ｂ  相間仕切壁
３    中間ケース
３ｂ  端子固定溝
３ｂ-1  段差部
４    下部ケース
１２    端子部
１４    端子導体
１４’  板厚の厚い端子導体
１５    端子ねじ
【図１】
0003900730.tif 000002
【図２】
0003900730.tif 000003
【図３】
0003900730.tif 000004
【図４】
0003900730.tif 000005
【図５】
0003900730.tif 000006